(57)【特許請求の範囲】
【請求項１】
使用者の爪に貼付けられる付け爪本体と、前記付け爪本体の表面に設けられる電子ペーパーとを備え、前記電子ペーパーに任意の画像や文字を表示するようにした爪装飾シートにおいて、
前記電子ペーパーは前記使用者の爪の中央から先端側の爪甲の上に配置され、
前記付け爪本体における前記使用者の爪の基端側の爪半月の上には、隆起した１または複数の装飾部を備え、
前記装飾部内に、前記電子ペーパーを表示駆動するための電力を供給する第１の電池を配置することを特徴とする爪装飾シート。
【請求項２】
前記付け爪本体は、前記使用者の爪先より延びて形成され、その爪先より延長されている部分の裏側にもさらに、前記電子ペーパーを表示駆動するための電力を供給する第２の電池を配置することを特徴とする請求項１記載の爪装飾シート。
【請求項３】
前記第２の電池は、前記付け爪本体の先端から予め定める長さだけ内側の部分から、前記使用者の指先にかけて配置されることを特徴とする請求項２記載の爪装飾シート。
【請求項４】
前記第２の電池は、前記使用者の指先から予め定める距離だけ離れた位置から、前記付け爪本体の先端側にかけて配置されることを特徴とする請求項３記載の爪装飾シート。
【請求項５】
ＮＦＣによって受電された電力を、前記第１の電池へ充電用に供給する受電手段を備えることを特徴とする請求項１〜４の何れか１項に記載の爪装飾シート。
【請求項６】
前記電子ペーパーを表示駆動する表示駆動手段は、ＮＦＣによって受信されたデータを前記電子ペーパーに表示させることを特徴とする請求項１〜５の何れか１項に記載の爪装飾シート。
【請求項７】
前記表示駆動手段への表示のためのデータの送信は、スマートフォンまたはタブレット端末によって行われることを特徴とする請求項６記載の爪装飾シート。
【請求項８】
前記スマートフォンから前記ＮＦＣによって送信されるデータは、該スマートフォンで受信された電子メールのデータであることを特徴とする請求項７記載の爪装飾シート。
【発明の詳細な説明】
【技術分野】
【０００１】
本発明は、使用者の爪に貼付けられて付け爪として使用される爪装飾シートに関し、特に、電子ペーパーを備え、該電子ペーパーに任意の画像（図形や模様）や文字を表示するようにしたものに関する。
【背景技術】
【０００２】
女性の指先などを飾るために、従来から、所謂ネイルアートが広く行われている。そのネイルアートの中でも、付け爪は、貼付けるだけで、容易に指先を装飾することができ、また適宜付け替えることも容易である。さらに、付け爪は、使用者の実際の爪の長さよりも長くすることができ、見場を良くすることができる。
【０００３】
しかしながら、付け替えが容易としても、その付け替えには接着を剥がさなければならず、日によって、或いは朝昼晩の時間帯などによって、さらには気分によって、付け替えするようなことは困難である。そこで、特許文献１には、コステリック液晶から成る電子ペーパーを用い、ＮＦＣ（Near Field Communication：近距離通信）によって、その電子ペーパーの表示内容を適宜書き換えられるようにした爪装飾シートが提案されている。特許文献２は、画像ディスプレイ装置を搭載したネイルチップである。
【先行技術文献】
【特許文献】
【０００４】
【特許文献１】特開２０１２−２００３５号公報
【特許文献２】特開２００９−２０１９９９号公報
【発明の概要】
【発明が解決しようとする課題】
【０００５】
上述の従来技術は、電子ペーパーを用いることで、任意の画像や文字を表示することが可能である。しかしながら、体積が大きくなる電池が、基板などともに、爪装飾シートのシート本体の中に埋め込まれており、容量が小さく、そのため電子ペーパーも不揮発なものとなって、前記画像や文字は、静止画でしか表示困難である。また、より電力を消費するフルカラー画像の表示も困難である。
【０００６】
本発明の目的は、電子ペーパーを用いることで任意の画像や文字を表示可能にした爪装飾シートにおいて、電子ペーパーの表示駆動に使用される電池を大容量にしても、違和感無く搭載することができる爪装飾シートを提供することである。
【課題を解決するための手段】
【０００７】
本発明の爪装飾シートは、使用者の爪に貼付けられる付け爪本体と、前記付け爪本体の表面に設けられる電子ペーパーとを備え、前記電子ペーパーに任意の画像や文字を表示するようにした爪装飾シートにおいて、前記電子ペーパーは前記使用者の爪の中央から先端側の爪甲の上に配置され、前記付け爪本体における前記使用者の爪の基端側の爪半月の上には、隆起した１または複数の装飾部を備え、前記装飾部内に、前記電子ペーパーを表示駆動するための電力を供給する電池を配置することを特徴とする。
【０００８】
上記の構成によれば、付け爪として用いられる爪装飾シートにおいて、その表面に電子ペーパーを使用して任意の画像や文字を表示可能にするにあたって、電子ペーパーは前記使用者の爪の中央から先端側の爪甲の上に配置する一方、前記付け爪本体における前記使用者の爪の基端側の爪半月の上には、たとえば宝石やクリスタルなどを模して、隆起した装飾部を１または複数設ける。そして、その装飾部内には、前記電子ペーパーを表示駆動するための電力を供給する電池を、違和感無く配置することができる。
【０００９】
したがって、任意の画像や文字を表示するとしても、従来は、消費電力の面で、不揮発性の電子ペーパーを使用して、静止画しか表示困難であったのを、本発明では前記装飾部内に埋め込まれる電池の容量は比較的大きくできることから、適宜のタイミングで更新表示を行うコマ送り画像や、短時間であれば動画を、或いはフルカラー画像の更新表示を行うことができるようになる。これによって、電子ペーパーを用いることで任意の画像や文字を表示可能にした爪装飾シートにおいて、興趣性を持たせたり、より美麗に魅せることができる。
【００１０】
また、本発明の爪装飾シートでは、前記付け爪本体は、前記使用者の爪先より延びて形成され、その爪先より延長されている部分の裏側にもさらに、前記電子ペーパーを表示駆動するための電力を供給する電池を配置することを特徴とする。
【００１１】
上記の構成によれば、付け爪は、多くの場合、見場を良くするために、使用者の爪の長さよりも長く（大きく見せるように）形成される。本発明は、このことを利用して、前記電子ペーパーを搭載する付け爪本体において、前記爪半月の上の装飾部に加えて、使用者の実際の爪先より延長されている部分の裏側にも、前記電子ペーパーを表示駆動するための電力を供給する電池を配置する。通常、爪の両側部は、カールしており、そのカールによって、爪の裏側には、ドーム状の空間が存在し、その空間に、違和感無く電池を埋め込む。
【００１２】
したがって、電池を、合計容量で、より大きくできる。
【００１３】
さらにまた、本発明の爪装飾シートでは、前記電池は、前記付け爪本体の先端から予め定める長さだけ内側の部分から、前記使用者の指先にかけて配置されることを特徴とする。
【００１４】
上記の構成によれば、電池は、付け爪本体の先端から予め定める長さ、たとえば１ｍｍだけ内側から配置される。
【００１５】
したがって、ペンを握ったり、拳を握った際には、手の平などに電池が接触する前に爪先が接触するので、使用者に与える違和感を抑えることができる。
【００１６】
また、本発明の爪装飾シートでは、前記電池は、前記使用者の指先から予め定める距離だけ離れた位置から、前記付け爪本体の先端側にかけて配置されることを特徴とする。
【００１７】
上記の構成によれば、電池は、使用者の指先からも予め定める距離、たとえば１ｍｍだけ離れた位置から配置される。
【００１８】
したがって、たとえば机に手を着くなどして指先が押圧されて扁平に拡がった際に、使用者の指先に電池が接触することを抑え、使用者に与える違和感を抑えることができる。
【００１９】
さらにまた、本発明の爪装飾シートでは、ＮＦＣによって受電された電力を、前記電池へ充電用に供給する受電手段を備えることを特徴とする。
【００２０】
上記の構成によれば、非接触で充電用の電源を供給することができる。
【００２１】
したがって、爪装飾シートに電極を設けて接触給電を行う場合に比べて、電極などの構造的に弱くなる部分を無くし、気密性を向上することができるとともに、充電の間における使用者の指の自由度（動かせる範囲）を大きくすることができる。
【００２２】
また、本発明の爪装飾シートでは、前記電子ペーパーを表示駆動する表示駆動手段は、前記ＮＦＣによって受信されたデータを前記電子ペーパーに表示させることを特徴とする。
【００２３】
上記の構成によれば、非接触で表示駆動用のデータを受信することができる。
【００２４】
したがって、爪装飾シートに端子を設けて接触でデータ受信を行う場合に比べて、電極などの構造的に弱くなる部分を無くし、気密性を向上することができる。また、通信可能な範囲にあれば、任意のタイミングでデータを伝送することができるので、表示の更新に対する利便性を向上することができる。
【００２５】
さらにまた、本発明の爪装飾シートでは、前記表示駆動手段への表示のためのデータの送信は、スマートフォンまたはタブレット端末によって行われることを特徴とする。
【００２６】
上記の構成によれば、スマートフォンやタブレット端末では、好みの画像や文字を選択（抽出）し、編集することが容易である。また、スマートフォンやタブレット端末では、前記好みの画像や文字のデータを、容易に転送することができる。
【００２７】
したがって、付け爪として用いられる爪装飾シートにおいて、好みの画像や文字を容易に表示させることができる。
【００２８】
また、本発明の爪装飾シートでは、前記スマートフォンから前記ＮＦＣによって送信されるデータは、該スマートフォンで受信された電子メールのデータであることを特徴とする。
【００２９】
上記の構成によれば、付け爪で、電子メールを読むことができ、興趣性を向上することができる。
【発明の効果】
【００３０】
本発明の爪装飾シートは、以上のように、付け爪として用いられる爪装飾シートにおいて、その表面に電子ペーパーを使用して任意の画像や文字を表示可能にするにあたって、前記電子ペーパーを表示駆動するための電力を供給する電池を、使用者の爪先より延長されている部分の裏側、或いは使用者の爪の基端側の爪半月上に形成される隆起した装飾部内に配置する。
【００３１】
それゆえ、使用者の違和感無く、前記電池の容量を大きくすることができ、コマ送り画像や、短時間であれば動画を、或いはフルカラー画像の更新表示を行うことができるようになる。
【図面の簡単な説明】
【００３２】
【図１】本発明の実施の一形態に係る爪装飾シートの使用方法を説明するための図である。
【図２】使用者の指から前記爪装飾シート付近を拡大して示す平面図である。
【図３】使用者の指から前記爪装飾シート付近を拡大して示す縦断面図である。
【図４】前記爪装飾シートに表示されるコマ送り画像の例を示す図である。
【図５】本発明の実施のさらに他の形態に係る爪装飾シートの構造を示す分解斜視図である。
【図６】本発明の実施のさらに他の形態に係る爪装飾シートの構造を示す縦断面図である。
【図７】本発明の実施のさらに他の形態に係る爪装飾シートの使用方法を説明するための図である。
【発明を実施するための形態】
【００３３】
（実施の形態１）
図１は、本発明の実施の一形態に係る爪装飾シート１の使用方法を説明するための図である。図１の例では、付け爪として、使用者の手２の５本の指２１〜２５の内、人差し指２２のみに実施形態に係る爪装飾シート１が貼付けられ、残余の指２１，２３〜２５には、画像や文字が印刷されただけの旧来の爪装飾シート３１，３３〜３５が貼付けられている例を示している。しかしながら、複数本から、総ての指２１〜２５に、実施形態に係る爪装飾シート１が貼付けられてもよい。５本の指２１〜２５の内、どの指に実施形態に係る爪装飾シート１を用いるかは、コスト面や、意匠性（たとえば、５本の指２１〜２５の総てに用いた場合に、煩雑に見えたりする可能性がある）などを考慮して検討されればよい。この爪装飾シート１は、後述するように、所謂スマートフォン４や、図示しないタブレット端末などと連携して動作する。
【００３４】
図２および図３は、使用者の人差し指２２から爪装飾シート１付近を拡大して示す平面図および縦断面図である。図２で示すように、この爪装飾シート１は、付け爪本体１１と、付け爪本体１１の表面に設けられる電子ペーパー１２と、装飾部１３〜１５とを備えて構成される。電子ペーパー１２は、使用者の爪２２１の中央から先端側の爪甲の上に配置され、爪２２１の基端側の爪半月の上には、その半月の円弧状に沿って、複数（図２では３つ）の装飾部１３〜１５が配置される。
【００３５】
電子ペーパー１２は、前記人差し指２２用の場合で、たとえばその表示画面１２１の幅Ｗは７ｍｍ、長さＬは１０ｍｍに形成される。前記表示画面１２１の外側において、少なくとも２辺には、行電極および列電極が形成されており、それらの電極は、付け爪本体１１の内側に折返されたり、電子ペーパー１２の上に被せられる図示しない保護シートの意匠などで覆われ、表面側からは見えなくなっている。
【００３６】
電子ペーパー１２には、代表的な表示技術に、電気泳動方式を使用することができる。この方式は、白色と黒色との粒子を、流体を収めたマイクロカプセル中で電界によって移動させることで白と黒の表示を行ない、粒子移動型などとも称される。電子ペーパー１２の表示方式には、各種使用することができるが、コントラストが高く、表示の維持に電力を必要とせず、また表示の書き換えも僅かな電力で行うことができるので、前記電気泳動方式が好適である。
【００３７】
図３で示すように、装飾部１４は、ダミーの宝石であり、ガラスのドームなどで実現される隆起した外殻１４１と、その内側に蒸着などで形成され、外殻１４１からの光を反射する反射層１４２とを備えて構成される。他の装飾部１３，１５も同様である。すなわち、装飾部１３〜１５は、内側にコーティングを施したガラス玉を被せることで実現することができる。そして、たとえば、装飾部１４のドームの内部空間には、主制御回路１４３およびメモリ１４４などを搭載した基板１４５が収納され、装飾部１３内にはＮＦＣによる励磁起電力を発生するコイルが収納され、装飾部１５内にはＮＦＣによる通信回路が収納される。
【００３８】
ＮＦＣにおいて、前記コイルは、たとえば、ＩＣカードや携帯電話での電子決済などにも使用されているＩＳＯ／ＩＥＣ１４４４３に対応しており、１３．５６ＭＨｚの周波数を利用して、十数ｃｍまでの距離で、電力を受電することができる受電手段を構成する。これに対して、前記通信回路は、前記コイルによる起電力を利用して、たとえば２．４ＧＨｚのＢｌｕｅｔｏｏｔｈ（登録商標）や無線ＬＡＮによって、スマートフォン４と通信を行うためのものである。なお、前記１３．５６ＭＨｚなどのＮＦＣの周波数は、電波法の管理を受けるので、その電波法の管轄外の周波数で励起電力を送信できれば、煩雑な手続きを無くし、また送信パワーを大きくして短時間で送電を行うことができ、好適である。
【００３９】
このようにして、付け爪として用いられる爪装飾シートにおいて、その表面に電子ペーパー１２を使用して任意の画像や文字を表示可能にするにあたって、本実施形態の爪装飾シート１で注目すべきは、付け爪本体１１が、使用者の爪先２２２より延びて形成され、その爪先２２２より延長されている部分１１１の裏側１１２に、電子ペーパー１２を表示駆動するための電力を供給する電池１６が配置されていることである。
【００４０】
これは、装飾用途に用いられる付け爪は、多くの場合、見場を良くするために、使用者の爪２２１の長さよりも長く（大きく見せるように）形成されることを利用している。通常、爪２２１の両側部は、カールしており、そのカールによって、爪２２１から前記延長されている部分１１１の裏側１１２には、ドーム（かまぼこ）状の空間１１３が存在し、その空間１１３に、電池１６を、違和感無く埋め込むことができる。
【００４１】
電池１６および電子ペーパー１２は、配線１７１，１７２によって、基板１４５に接続される。こうして、メモリ１４４に格納された画像や文字のデータが、主制御回路１４によって読出され、電池１６の電力によって電子ペーパー１２に表示される。電池１６には、比較的体積当りの容量が大きく、フレキシブルな有機ラジカル電池を用いることができる。
【００４２】
したがって、任意の画像や文字を表示するとしても、従来は、消費電力の面で、不揮発性の電子ペーパーを使用して、静止画しか表示困難であったのを、本実施形態の爪装飾シート１では、空間１１３に埋め込まれる電池１６の容量は比較的大きくできることから、適宜のタイミングで更新表示を行うコマ送り画像や、短時間であれば動画を、或いはフルカラー画像の更新表示を行うことができるようになる。また、消費電力を大きくできることから、電子ペーパーに、有機ＥＬ素子などの自発光のものを使用する可能性を開くことができ、その場合、暗所での視認が可能になる。このようにして、電子ペーパー１２を用いることで任意の画像や文字を表示可能にした爪装飾シート１において、興趣性を持たせたり、より美麗に魅せることができる。
【００４３】
具体的には、前記電子ペーパー１２の動作電圧は、１．６５〜３．６Ｖで、好ましくは１．６５Ｖのものを使用する。一方、前記主制御回路１４３である電子ペーパー１２のドライバーの動作電圧は、２．６〜２．７Ｖであり、動作電流値は、最大４０ｍＡ、スリープ時は０に近く、０．０５ｍＡ程度である。したがって、前記電池１６の容量として、少なくとも３Ｖ、１０ｍＡｈとすることで、前記有機ラジカル電池を２個直列に使用して、１時間に１回画像を入れ替えたり、１回情報を表示するだけなら１５時間動作させることができ、アニメーションでは１０分位の連続で表示を行わせることが可能になる。
【００４４】
そのような容量は、爪先２２２の空間１１３に埋め込まれる前記の電池１６で実現することができる。たとえば、爪先２２２から延びる部分１１１の長さは、７〜８ｍｍ、手２を握った際に邪魔にならない（外側になる）親指２１の場合には１ｃｍを超えることもあり、空間１１３内に、前記の容量の電池１６を収容することができる。特に長くて幅の広い親指２１の場合は、大容量の電池を収容することができる。
【００４５】
ここで、現状では、電子ペーパー１２の動作電圧がドライバーの動作電圧よりも低いので、低電圧になると、ドライバーが先に止まってしまう。そのため、ドライバー無しの電子ペーパーが登場すると、さらに動作時間を延長することができる。
【００４６】
図４に、コマ送り画像の例を示す。図４（ａ）は爪装飾シート１の平面図であり、図４（ｂ）〜（ｆ）は電子ペーパー１２に表示されるコマ送り画像を拡大して示す図である。図４の例は、４つ葉のクローバーが咲いてゆく様子を示しており、ハート形で示す茎１８１が、図４（ｂ）から図４（ｃ）で示すように伸びた後、図４（ｄ）から図４（ｅ）で示すように、花１８２が咲き、図４（ｆ）で示すように花弁１８３を振り撒きながら散ってゆく様子を示している。
【００４７】
さらに、本実施形態の爪装飾シート１では、図３で示すように、電池１６は、付け爪本体１１の先端１１４から予め定める長さＤ１だけ内側の部分から、使用者の指先２２３にかけて配置される。前記長さＤ１は、たとえば１ｍｍである。したがって、使用者がペンを握ったり、拳を握る際には、手の平などに電池１６が接触する前に、爪先（先端１１４）が接触するので、使用者に与える違和感を抑えることができる。
【００４８】
また、本実施形態の爪装飾シート１では、図３で示すように、電池１６は、使用者の指先２２３からも、予め定める距離Ｄ２だけ離れた位置から、付け爪本体１１の先端１１４側にかけて配置される。前記距離Ｄ２は、たとえば１ｍｍである。したがって、使用者が、たとえば机に手を着くなどして、図２において仮想線２２４で示すように指先２２３が押圧されて扁平に拡がった際に、該指先２２３に電池１６が接触することを抑え、使用者に与える違和感を抑えることができる。図３の状態では、その指先２２３が拡がった状態でも、電池１６との間に、隙間Ｄ３が確保されている。
【００４９】
ここで、同じＮＦＣでも、コイルによる電力の受電に使用するのは、ＩＣカードや無線タグなどで使用される前記１３．５６ＭＨｚの周波数である。これによって、前記ＩＣカードや無線タグの励起用の電力を利用して、コイルでの受電電力を電池１６への充電のために利用することができ、コイルは受電手段として機能する。こうして、非接触で充電用の電源を供給することができ、電極を設けて接触給電を行う場合に比べて、電極などの構造的に弱くなる部分を無くし、気密性を向上することができるとともに、充電の間における使用者の指２２の自由度（動かせる範囲）を大きくすることができる。
【００５０】
一方、スマートフォン４などとの通信用も、前記２．４ＧＨｚの周波数帯などを使用して、非接触で行われる。したがって、端子を設けて接触でデータ受信を行う場合に比べて、電極などの構造的に弱くなる部分を無くし、気密性を向上することができる。また、通信可能な範囲にあれば、任意のタイミングでデータを伝送することができるので、表示の更新に対する利便性を向上することができる。
【００５１】
さらにまた、本実施形態の爪装飾シート１では、図４で示すような表示のためのデータは、スマートフォン４やタブレット端末などから送信される。そのスマートフォン４やタブレット端末では、好みの画像や文字を選択（抽出、ダウンロード）し、編集することが容易である。また、スマートフォン４やタブレット端末では、前記好みの画像や文字のデータを、爪装飾シート１に容易に転送することができる。こうして、スマートフォン４やタブレット端末を用いることで、付け爪として用いられる爪装飾シート１において、好みの画像や文字を容易に表示させることができる。
【００５２】
また、表示データの送信元がスマートフォン４やタブレット端末であるので、送信される表示データとして、該スマートフォン４やタブレット端末で受信された電子メールのデータとすることで、付け爪で、電子メールを読むことができ、興趣性を向上することができる。
（実施の形態２）
以下に、本発明の実施の他の形態に係る爪装飾シートについて説明する。主要な構成は、図１〜図４の爪装飾シート１と同様である。付け爪本体１１は、形状記憶ジェルや合成樹脂から成り、その上面に電子ペーパー１２を搭載して、全体を防水の透明フィルムで覆ったり、外周部に防水コーティングを施すことで構成される。この付け爪本体１１の、特に外周部分に、ＮＦＣのコイルを埋め込むことで、コイル径が大きくなるとともに、コイル長が長くなり、受電できる電力量を大きくすることができる。
【００５３】
すると、前記装飾部１３内からＮＦＣのコイルを無くすことができ、前記爪先２２２の電池１６に比べて、多少、容量は小さくなるものの、この装飾部１３のドーム内に電池を収容することができる。その場合、装飾部１３内の電池は、電池１６の増設（容量アップ）用として、電子ペーパー１２には、動画が表示されたり、フルカラー画像が表示されたり、或いは表示時間の延長が図られてもよい。
【００５４】
しかしながら、この装飾部１３内の電池で電池１６を置換える、すなわち爪先２２２の電池１６を無くすようにしてもよい。その場合、付け爪本体１１において、爪先２２２より延長される部分１１１を短くすることができる。
（実施の形態３）
図５および図６は、本発明の実施のさらに他の形態に係る爪装飾シート１ａの構造を示す分解斜視図および縦断面図である。この爪装飾シート１ａにおいて、上述の爪装飾シート１に類似し、対応する部分には同一の参照符号を付して、その説明を省略する。この爪装飾シート１ａで注目すべきは、前記基板１４５やＮＦＣのコイルなどがシート状に形成されて、積層されていることである。図５および図６の例では、爪２２１に貼付けられる付け爪本体１１ａ上には、絶縁断熱シート１８、基板およびプリントアンテナ層１９、電子ペーパー１２ａおよび保護シート２０が、この順で積層されている。
【００５５】
絶縁断熱シート１８は、基板およびプリントアンテナ層１９側から、使用者の指２２側への漏電や伝熱を防止するために設けられており、付け爪本体１１ａの材質や厚みによって、そのような効果が期待できる場合は、この絶縁断熱シート１８は、特に設けられなくてもよい。この絶縁断熱シート１８において、電池１６ａの搭載位置に対応する爪先２２２側には、該電池１６ａと基板およびプリントアンテナ層１９との間を電気的に導通するためのスルーホール１８１が形成されている。
【００５６】
基板およびプリントアンテナ層１９は、たとえばフレキシブル基板上に、上述の主制御回路１４３、メモリ１４４およびＮＦＣ通信回路などのベアチップが略中央部側に実装され、さらに外周部分に前記ＮＦＣ通信用のコイルが形成されて構成される。この基板およびプリントアンテナ層１９と電子ペーパー１２ａとの間は、爪２２１の基端側、すなわち爪半月上で、フレキシブル基板１７３によって、相互に接続されている。電子ペーパー１２ａ上には保護シート２０が被せられており、この保護シート２０は、表示画面１２１の領域は透明に形成され、周縁部は、行電極や列電極を隠すように遮光性に形成されるとともに、適宜意匠が施されていてもよい。
【００５７】
このように構成することで、爪装飾シート１ａは、爪装飾シート１に比べて、厚みが厚くなるものの、前記基板１４５やコイルをカモフラージュする装飾部１３〜１５を不要にすることができる。また、この爪装飾シート１ａでは、ＮＦＣのコイル径を大きくすることができ、スマートフォン４との通信距離を伸ばすことができる。この積層構造の爪装飾シート１ａと、装飾部１３〜１５を備える爪装飾シート１とは、意匠性などに応じて、適宜選択されればよい。
【００５８】
また、この爪装飾シート１ａにおいて注目すべきは、電池１６ａが付け爪本体１１ａから脱着可能に構成されることである。図６において、左下の領域に、電池１６ａ部分を拡大して示す。付け爪本体１１ａには、電池１６ａを脱着可能にするために、ブラケット１６ｂが設けられている。そして、電池１６ａ側およびブラケット１６ｂ側には、相互に嵌着するコネクタ部１６ｃ，１６ｄがそれぞれ設けられている。図６の例では、電池１６ａ側のコネクタ部１６ｃは、＋−の一対のピンから成り、ブラケット１６ｂ側のコネクタ部１６ｄは、対応する一対のホールから成る。コネクタ部１６ｄは、スルーホール１８１を介して、基板およびプリントアンテナ層１９と電気的に接続される。
【００５９】
そして、たとえば図７において、参照符号Ｆ１で示すように付け爪本体１１ａから取り外された電池１６ａは、参照符号Ｆ２で示すように、別途に設けられる充電器５に装着され、前記コネクタ部１６ｃから充電される。充電器２１は、図７で示すような所謂ＵＳＢケーブルなどで電源供給先に接続され、その電源供給先からの電力を、たとえば充電電圧を前記の３Ｖ、充電電流を６０ｍＡとして、電池１６ａに供給する。前記の条件では、満充電までの時間は、１０分となる。
【００６０】
こうして、電池１６ａを付け爪本体１１ａから取り外し、別途に設けられる充電器５によって、コネクタ部１６ｄ，１６ｃを介して接触充電によって充電を行うことで、急速充電によって充電時間を短縮することができるとともに、使用者の指先を電極に接触させたりするような拘束の必要も無く、利便性を向上することができる。
【００６１】
また、本実施形態の爪装飾シート１ａでは、付け爪本体１１ａ側のコネクタ部１６ｄには、電池１６ａが装着されることを検出するリセットスイッチが設けられている。図６の例では、電池１６ａのコネクタ部１６ｃでは一対のピン間にもう１本のピン１６ｅが立設されており、ブラケット１６ｂのコネクタ部１６ｄでは一対のホール間にもう１つのホール１６ｆが形成されており、それらで前記リセットスイッチを構成する。具体的には、たとえば、ピン１６ｅはコネクタ部１６ｃ＋のピンと並列に接続されており、ホール１６ｆは前記主制御回路１４３のリセット端子に接続されており、ホール１６ｆにピン１６ｅが嵌り込むことで、電子ペーパー１２ａを表示駆動する表示駆動手段である前記主制御回路１４３に前記３Ｖの電圧が供給されて、該主制御回路１４３がリセットされ、電池１６ａの装着を検出する。
【００６２】
これは、電池１６ａを取り外すと、場合によってよっては、前記主制御回路１４３は、前記の画像や文字などの表示データを消去してしまったり、システムにエラーを生じたりする可能性があるためである。そのため、上述のようにしてリセット掛けることで、速やかに表示を復旧させることができる。リセットに伴う画像データの再読込みなどは、スマートフォン４から、容易に行うことができる。
【００６３】
なお、電池１６ａのブラケット１６ｂへの嵌着は、コネクタ部１６ｃのピンとコネクタ部１６ｄのホールとの嵌り合いを利用して行われてもよいが、磁気吸着や、フックを設けるなどの、別の、或いは追加の係合手段が設けられて行われてもよい。また、電池１６ａのブラケット１６ｂからの取り外しや、充電器２１への装着などのために、ピンセットなどの専用の治具や工具が用いられてもよい。
【符号の説明】
【００６４】
１，１ａ    爪装飾シート
１１，１１ａ    付け爪本体
１１１  部分
１１２  裏側
１１３  ドーム（かまぼこ）状の空間
１２    電子ペーパー
１２１  表示画面
１３〜１５    装飾部
１４１  外殻
１４２  反射層
１４３  主制御回路
１４４  メモリ
１４５  基板
１６，１６ａ    電池
１６ｂ    ブラケット
１６ｃ，１６ｄ    コネクタ部
１６ｅ    ピン
１６ｆ    ホール
１７１，１７２    配線
１８    絶縁断熱シート
１８１  スルーホール
１９    プリントアンテナ層
２０    保護シート
２    使用者の手
２１〜２５    指
２２１  使用者の爪
２２２  爪先
３１，３３〜３５    爪装飾シート
４    スマートフォン
５    充電器
【図１】
0006526728.tif 000002
【図２】
0006526728.tif 000003
【図３】
0006526728.tif 000004
【図４】
0006526728.tif 000005
【図５】
0006526728.tif 000006
【図６】
0006526728.tif 000007
【図７】
0006526728.tif 000008